(57)【要約】【課題】  ブロードバンド放送視聴中に、家庭内の他のネットワークサービス使用による帯域低下の原因がＷＡＮ側なのか、ＬＡＮ側なのかを知ることができるネットワーク装置を提供する。【解決手段】  ネットワーク装置は、回線を介して番組を受信して表示する放送受信手段と、前記回線の混雑度を検出する検出手段と、前記回線の通信帯域における混雑度が所定のレベルを超えたことを通知する通知手段とを備えたことを特徴とする。これにより、ブロードバンド放送視聴中に、家庭内の他のネットワークサービス使用による帯域低下の原因がＷＡＮ側なのか、ＬＡＮ側なのかを知ることができる。【選択図】      図１
2008141349.tif 000002
【特許請求の範囲】
【請求項１】
回線を介して番組を受信して表示する放送受信手段と、
前記回線の混雑度を検出する検出手段と、
前記回線の通信帯域における混雑度が所定のレベルを超えたことを通知する通知手段とを備えたことを特徴とするネットワーク装置。
【請求項２】
前記通知手段は、前記放送された番組を表示する放送受信手段に表示することにより通知することを特徴とする請求項１記載のネットワーク装置。
【請求項３】
前記検出手段は、ルーターに通信状況を問い合わせることにより混雑度を検出することを特徴とする請求項１または２記載のネットワーク装置。
【請求項４】
前記番組の受信にデータが足らないエラーが発生したことを検出する手段を有し、
前記エラーが発生したときに前記検出手段により検出を行わせることを特徴とする請求項１乃至３のいずれか１項記載のネットワーク装置。
【請求項５】
回線を介して放送を受信して表示し、
前記回線の混雑度を検出し、
前記回線の通信帯域における混雑度が所定のレベルを超えたことを通知することを特徴とするネットワーク装置の通知方法。
【発明の詳細な説明】
【技術分野】
【０００１】
この発明は、ネットワーク装置およびネットワーク装置の制御方法に関し、特に複数で同一のネットワークに接続可能なネットワーク装置およびネットワーク装置の制御方法に関する。
【背景技術】
【０００２】
従来、コンテンツを提供するサーバシステムにおいて、特定コンテンツファイルへのアクセスの負荷を分散するものが知られている（例えば、特許文献１参照）。
【特許文献１】特開２００１−２８２６２２号公報
【発明の開示】
【発明が解決しようとする課題】
【０００３】
しかし、上記した従来のシステムにおいてはアクセス負荷を分散するのみであり、ブロードバンド放送視聴中に、家庭内の他のネットワークサービス使用による帯域低下の原因がＷＡＮ側なのか、ＬＡＮ側なのかを知ることができないという問題があった。
【課題を解決するための手段】
【０００４】
上記の目的を達成するために、この発明においては、回線を介して番組を受信して表示する放送受信手段と、前記回線の混雑度を検出する検出手段と、前記回線の通信帯域における混雑度が所定のレベルを超えたことを通知する通知手段とを備えたことを特徴とするネットワーク装置を提供する。
【０００５】
上記の目的を達成するために、この発明においては、回線を介して放送を受信して表示し、前記回線の混雑度を検出し、前記回線の通信帯域における混雑度が所定のレベルを超えたことを通知することを特徴とするネットワーク装置の通知方法を提供する。
【０００６】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００７】
この発明によれば、ブロードバンド放送視聴中に、家庭内の他のネットワークサービス使用による帯域低下の原因がＷＡＮ側なのか、ＬＡＮ側なのかを知ることができる。
【発明を実施するための最良の形態】
【０００８】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【０００９】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１０】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１１】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１２】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１３】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１４】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１５】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバー１２８、ＨＤＤ内蔵のＤＶＤ（Digital Versatile Disk）レコーダ１２９、ＩＰ電話１４４、パーソナルコンピュータ（ＰＣ）１４５等の機器を接続し、これらの機器と情報伝送を行なうために使用される。
【００１６】
なお、コンテンツサーバー１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１７】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１８】
さらに、この第２のＬＡＮ端子１２２は、ハブ１２６に接続されたブロードバンドルータ１３１および終端装置１４３を介して、例えばインターネット等のＷＡＮ（Wide Area Network）１３２に接続し、このＷＡＮ１３２を介してコンテンツサーバー１３３や携帯電話１３４等と情報伝送を行なうために使用される。
【００１９】
なお、コンテンツサーバー１３３についてはコンテンツのサーバ機器として動作するための機能を持ち、さらにコンテンツのアクセスに必要なＵＲＩ情報を提供するサービスを備えたＵＰｎＰ対応機器として構成される。
【００２０】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２１】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２２】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２３】
チューナ２４５ａは、制御部２６１からの制御信号により所望のチャンネルの放送信号を選局し、この選局された放送信号をＰＳＫ（Phase Shift Keying）復調器２４５ｂに出力する。
【００２４】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２５】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２６】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２７】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２８】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００２９】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３０】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３１】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３２】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３３】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３４】
また、字幕放送による字幕を表示するとき、グラフィック処理部２５４は、制御部２６１からの制御による字幕情報に基づき、映像信号上に字幕情報を重畳する処理を行う。
【００３５】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３６】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３７】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００３８】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３９】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４０】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４１】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４２】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４３】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４４】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４５】
ところで、この実施形態ではＨＤＤ１２５に、初期登録時のＨＤＤ１２５、ＨＤＤ１２７、コンテンツサーバー１２８、ＤＶＤレコーダ１２９それぞれに割り当てられたストレージＩＤ（ＩＰアドレス、機器名を含む）を記述した登録ファイルを記憶保持している。
【００４６】
また、不揮発性メモリ２６１ｃに、ＨＤＤ１２５、ＨＤＤ１２７、コンテンツサーバー１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００４７】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバー１２８を発見する。
【００４８】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバー１２８をコントロールし、コンテンツサーバー１２８内のＨＤＤ等に蓄積されているコンテンツをアクセスするために必要なＵＲＩ情報をコンテンツサーバー１２８から取得する。
【００４９】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５０】
以下、ブロードバンド放送視聴中に、家庭内の他のネットワークサービス使用による帯域低下が起こった場合の動作について説明する。
図１のように、ＷＡＮ１３２から、終端装置１４３を通して家庭内にブロードバンドネットワークが引き込まれている。
この終端装置１４３から、家庭内のユーザーはブロードバンドルータ１３１を経由して、ＰＣ１４５による電子メールやウェブブラウジング、ＩＰ電話１４４やコンテンツサーバー１３３によるブロードバンド放送の映像配信を楽しむことが出来るようになっている。
【００５１】
しかしながら、現状の家庭内のブロードバンド通信の帯域は限られており、複数のネットワークサービスを家庭内で同時に使用するのには十分とはいえないものである。またその上限値は、各家庭のネットワーク環境（場所や時間帯）に依存しており一意ではない上、凡その目安すらない。
【００５２】
このため、家庭内で複数のネットワークサービスを同時使用した場合、それぞれに相互の悪影響が発生する場合が考えられる。例えば、ブロードバンド放送であればコマ落ちやブロックノイズ、ＩＰ電話であれば音声の途切れ、ＰＣであれば反応の遅延などが生じる。しかし、このような症状が発生しても一般ユーザーにとっては、その原因が家庭内のネットワークや機器にあるのか、或いは家庭外のネットワークや機器にあるのかを特定することは困難である。
【００５３】
そこでこの発明では、家庭内において上記のように複数のブロードバンドサービスが使用可能な環境において、ブロードバンド放送の視聴画面に、家庭内の他のネットワークサービスが利用されているために通信帯域が消費されており、ブロードバンド放送の視聴サービス用に安定した通信帯域確保が出来ず、ブロードバンド放送の品質に悪影響（コマ落ち、ブロックノイズ）が発生する可能性があることをユーザーに通知する。この通知方法としては図３に示すように映像表示器１１４の画面に文字によるメッセージやアイコン等で表示しても良いし、図４に示すようにＬＥＤを点灯／点滅することで通知してもよい。
【００５４】
なお、家庭内の他のネットワークサービスが利用されているために通信帯域が消費されており、ブロードバンド放送の視聴サービス用に安定した帯域確保が出来ないことは、ブロードバンドルータ１３１からの情報により検出することができる。
【００５５】
まず、ブロードバンドルータ１３１は、専用線により２０Ｍｂｐｓで接続されているものとする。この内、デジタルテレビジョン放送受信装置１１１は、ハイビジョン番組を１８ＭＢｐｓの帯域を使っていたとする。
【００５６】
予め、デジタルテレビジョン放送受信装置１１１は、ブロードバンドルータ１３１に対してマジックパケットで問合せを行ったり、ユーザーに設定させることにより、上記専用線により２０Ｍｂｐｓで接続されていることを把握しておく。
【００５７】
まず、デジタルテレビジョン放送受信装置１１１でハイビジョン番組を視聴しているとき、デジタルテレビジョン放送受信装置１１１はマジックパケットでブロードバンドルータ１３１に対して、他の機器で通信が行われているかの問合せを行う。
【００５８】
仮に、ここではデジタルテレビジョン放送受信装置１１１のみが使われていたものとする。
次に、ＰＣ１４５が起動され通信帯域が使われ始めたとする。このときにデジタルテレビジョン放送受信装置１１１では、データの抜けが発生し始めたとする。
するとデジタルテレビジョン放送受信装置１１１は、マジックパケットでブロードバンドルータ１３１に対して、ブロードバンドルータ１３１のＷＡＮ側との接続速度（仮に、２０Ｍｂｐｓとする）と、ブロードバンドルータ１３１−ＰＣ１４５間の接続速度（仮に、３Ｍｂｐｓとする）とを問い合わせる。
【００５９】
この結果、デジタルテレビジョン放送受信装置１１１内の制御部２６１では、２０−３＝１７Ｍｂｐｓと帯域が減っていることを検出し、家庭内でのトラフィックが問題であることを知ることができる。なお、ブロードバンドルータ１３１−ＰＣ１４５間の接続速度（仮に、１Ｍｂｐｓとする）であった場合には、ＷＡＮ側のトラフィックが問題であることを知ることができる。
【００６０】
このようにして家庭内での問題なのか、ＷＡＮ側の問題なのかを知ることができる。
以上説明したとおり、ブロードバンド放送視聴中に、家庭内の他のネットワークサービス使用による帯域低下の原因がＷＡＮ側なのか、ＬＡＮ側なのかを知ることができる。
【００６１】
この結果、ブロードバンド放送の視聴サービス用に安定した帯域確保が出来ないことを示す表示がされているときにブロックノイズやコマ落ちが発生した場合、この原因が家庭内の他のネットワークサービス使用による帯域低下が原因である可能性が高いと認識することができる。これによりメーカーにとって不要なサポート、ユーザークレームを減らすことができる。
【００６２】
次に、デジタルテレビジョン放送受信装置１１１によるブロードバンド放送視聴中に、家庭内でＩＰ電話１４４や、ＰＣ１４５を用いたテレビ電話等が同一回線にて同時に使用されたときの動作を説明する。
【００６３】
図５は、このような安定した帯域確保が出来なかった場合の動作を説明するための図である。
また、デジタルテレビジョン放送受信装置１１１によりＨＤ画質のブロードバンド放送サービスの番組の視聴中（図５のステップＳ５０１）に、家庭内の他のネットワークサービスが利用されているために通信帯域が消費されており、ＨＤ画質のブロードバンド放送の視聴サービス用に安定した帯域確保が出来ず、ブロードバンド放送の品質に悪影響（コマ落ち、ブロックノイズ）が発生する可能性がある場合（ステップＳ５０２のＮｏ）には、自動的にＨＤ画質からＳＤ画質に切り替えたり、或いはレート変換することにより必要とする通信帯域を縮小させる（ステップＳ５０４）。
【００６４】
なお、ＨＤ画質のブロードバンド放送の視聴サービス用に安定した帯域確保が出来る場合（ステップＳ５０２のＹｅｓ）には、このままＨＤ画質のブロードバンド放送の視聴サービスを継続する（ステップＳ５０３）。
【００６５】
こうすることにより、ブロックノイズやコマ落ちのない映像を得ることができることと、家庭内の他のサービスへの通信帯域の確保を両立させることができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００６６】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】ユーザーへの通知画面の一例を示す図。
【図４】ユーザーへの通知画面の他の例を示す図。
【図５】安定した帯域確保が出来なかった場合の動作を説明するための図。
【符号の説明】
【００６７】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバー、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ、１４３…終端装置、１４４…ＩＰ電話、１４５…ＰＣ。
【図１】
2008141349.tif 000003
【図２】
2008141349.tif 000004
【図３】
2008141349.tif 000005
【図４】
2008141349.tif 000006
【図５】
2008141349.tif 000007